(57)【特許請求の範囲】
【請求項１】
塵芥が投入される塵芥投入箱の両側方下部に垂直に設けられたブラケットと、
前記ブラケットの上部に回動自在に軸支され、トルクシャフトで左右が連結されたリフトアームと、
前記ブラケットの下部に一端部が軸支され、他端部が前記リフトアームの中途部に軸支され、伸縮動作により前記リフトアームを回動させる伸縮シリンダと、
前記塵芥投入箱の側面下部に備えられたサイドポケットと、
前記伸縮シリンダを作動させる操作スイッチであり、前記サイドポケットと前記ブラケットとの間に前記塵芥投入箱の側方に向かって備えられた操作スイッチと
を有するコンテナ反転装置。
【請求項２】
塵芥が投入される塵芥投入箱を備えた塵芥収集車であって、
前記塵芥投入箱の両側方下部に垂直に設けられたブラケットと、
前記ブラケットの上部に回動自在に軸支され、トルクシャフトで左右が連結されたリフトアームと、
前記ブラケットの下部に一端部が軸支され、他端部が前記リフトアームの中途部に軸支され、伸縮動作により前記リフトアームを回動させる伸縮シリンダと、
前記塵芥投入箱の側面下部に備えられたサイドポケットと、
前記伸縮シリンダを作動させる操作スイッチであり、前記サイドポケットと前記ブラケットとの間に前記塵芥投入箱の側方に向かって備えられた操作スイッチと
を有するコンテナ反転装置を備えた塵芥収集車。
【発明の詳細な説明】
【技術分野】
【０００１】
本発明は、家庭や工場などから発生したごみを塵芥収容箱内に投入するに際し、ごみが収容されたコンテナを反転させてコンテナ内のごみを塵芥投入箱に投入するコンテナ反転装置およびこれを備えた塵芥収集車に関する。
【背景技術】
【０００２】
従来、塵芥収集車の塵芥投入箱後部の支持台にごみが収容されたコンテナを保持した後、この支持台をコンテナとともに上方に持ち上げ、コンテナの上部開口が塵芥投入箱の投入開口部に臨む位置まで反転させることで、コンテナ内のごみを塵芥投入箱に投入するコンテナ反転装置が知られている（例えば、特許文献１参照）。
【０００３】
図６は従来のコンテナ反転装置を備えた塵芥収集車後部の部分拡大側面図である。図６に示すように、従来のコンテナ反転装置５０は、塵芥投入箱２の投入口３の下端縁に設けられている。塵芥投入箱２の側面の下部にはブラケット５１が固定されている。ブラケット５１は、後方斜め上方に向かって延設されている。このブラケット５１の先端部には、コンテナＣを持ち上げるリフトアーム５２の上端部が、ピン５３によって回動自在に軸支されている。
【０００４】
また、ブラケット５１の基端部には、伸縮シリンダ５４の基端部が軸支されている。この伸縮シリンダ５４のロッド端はリフトアーム５２の中途部に軸支されており、伸縮シリンダ５４の伸縮動作によりリフトアーム５２がピン５３を中心に回動するように構成されている。これらのブラケット５１、リフトアーム５２、伸縮シリンダ５４は、塵芥投入箱２の両側面に左右対称に設けられている。
【先行技術文献】
【特許文献】
【０００５】
【特許文献１】特許第３１４３２８８号公報
【発明の概要】
【発明が解決しようとする課題】
【０００６】
ところが、上記従来のコンテナ反転装置では、図６に示すようにブラケット５１および伸縮シリンダ５４が塵芥投入箱２の側面下部に斜め前後方向に延設されており、塵芥投入箱２の側面下部の多くのスペースを占めているため、無駄なスペースが多い。また、コンテナ反転装置５０に隣接してスイッチ５５を設ける場合、サイドカバー５６の適所に凹部を形成し、そこにスイッチ５５を設けなければならなかった。さらに、サイドポケット５７を設けようとすれば、ブラケット５１に合わせて切欠きを形成する必要があり、サイドポケット５７として構成できないときもあった。
【０００７】
そこで、本発明においては、塵芥投入箱の側面下部に斜め前後方向にブラケットを延設することなく、ごみが収容されたコンテナを反転させてコンテナ内のごみを塵芥投入箱に投入するコンテナ反転装置およびこれを備えた塵芥収集車を提供することを目的とする。
【課題を解決するための手段】
【０００８】
本発明のコンテナ反転装置は、塵芥が投入される塵芥投入箱の両側方下部に垂直に設けられたブラケットと、ブラケットの上部に回動自在に軸支され、トルクシャフトで左右が連結されたリフトアームと、ブラケットの下部に一端部が軸支され、他端部がリフトアームの中途部に軸支され、伸縮動作によりリフトアームを回動させる伸縮シリンダとを有するものである。
【０００９】
本発明のコンテナ反転装置によれば、塵芥投入箱の両側方下部に垂直に設けられたブラケットの下部に一端部が軸支され、他端部がリフトアームの中途部に軸支された伸縮シリンダによって、リフトアームを回動させ、このリフトアームの回動によりコンテナを後方開口部へ向けて反転させて、コンテナ内のごみを塵芥投入箱に投入することができる。
【００１０】
また、本発明のコンテナ反転装置は、塵芥投入箱の側面下部に伸縮シリンダを作動させるスイッチを備えることが望ましい。本発明のコンテナ反転装置によれば、塵芥投入箱の側面下部に斜め前後方向にブラケットおよび伸縮シリンダが配置されないので、塵芥投入箱の側面下部にスペースが空く。したがって、この位置に伸縮シリンダを作動させるスイッチを配置することができる。また、この塵芥投入箱の側面下部には、サイドポケットを備えることが可能である。
【発明の効果】
【００１１】
（１）塵芥投入箱の両側方下部に垂直に設けられたブラケットと、ブラケットの上部に回動自在に軸支され、トルクシャフトで左右が連結されたリフトアームと、ブラケットの下部に一端部が軸支され、他端部がリフトアームの中途部に軸支され、伸縮動作によりリフトアームを回動させる伸縮シリンダとを有するコンテナ反転装置によれば、塵芥投入箱の側面下部に斜め前後方向にブラケットおよび伸縮シリンダが配置されないので、狭い路地での走行性が向上する。また、従来のように斜め前後方向に延設されたブラケットとは異なり、ブラケットを上下方向に延設することができるため、車体に対して上下方向の位置を設定しやすくなる。
【００１２】
（２）塵芥投入箱の側面下部にブラケットに隣接して伸縮シリンダを作動させるスイッチを備えたことにより、リフトアームにコンテナを保持した状態で、すぐ傍のスイッチを操作すれば伸縮シリンダを作動させることが可能となり、作業性が向上する。
【００１３】
（３）塵芥投入箱の側面下部にサイドポケットを備えたことにより、塵芥投入箱の側面下部に空いたスペースを物入れとして有効活用することができる。
【図面の簡単な説明】
【００１４】
【図１】本発明の実施の形態におけるコンテナ反転装置を備えた塵芥収集車後部の部分拡大側面図である。
【図２】図１のコンテナ反転装置の背面図である。
【図３】図１のコンテナ反転装置の平面図である。
【図４】図１のＡ−Ａ矢視図である。
【図５】図１のロック装置の拡大図である。
【図６】従来のコンテナ反転装置を備えた塵芥収集車後部の部分拡大側面図である。
【発明を実施するための形態】
【００１５】
図１は本発明の実施の形態におけるコンテナ反転装置を備えた塵芥収集車の後部拡大側面図、図２は図１のコンテナ反転装置の背面図、図３は図１のコンテナ反転装置の平面図、図４は図１のＡ−Ａ矢視図、図５は図１のロック装置の拡大図である。
【００１６】
図１において、本発明の実施の形態における塵芥収集車は、車体上に塵芥収容箱１が搭載され、この塵芥収容箱１の後端の後方開口部１ａに連接された塵芥投入箱２を備えている。塵芥投入箱２の後部には、塵芥を投入する投入口３が開口されている。また、この投入口３の後方には、ごみが収容されたコンテナＣを保持し、反転させて、このコンテナＣ内のごみを塵芥投入箱２に投入するコンテナ反転装置４が設けられている。
【００１７】
塵芥投入箱２内には図示しない塵芥積込装置が装備されており、投入口３から塵芥投入箱２内に投入された塵芥を圧縮して塵芥収容箱１に積み込むようになっている。塵芥投入箱２内には、前後方向に摺動自在な排出板（図示せず。）が装備されている。この排出板と塵芥収容箱１の前部との間には図示しない伸縮シリンダが連設されている。この伸縮シリンダの伸縮作動により排出板が塵芥収容箱１内を車体の前後方向に往復動することで、塵芥積込装置による塵芥収容箱へのごみの積み込み時におけるごみの圧縮および塵芥収容箱１内に収容されたごみの排出が行われる。
【００１８】
コンテナ反転装置４は、塵芥投入箱２の両側方下部に垂直に設けられたブラケット１０と、コンテナＣを反転させるリフトアーム１１と、コンテナＣをリフトアーム１１に保持するロック装置１２と、リフトアーム１１を回動させる伸縮シリンダ１３と、伸縮シリンダ１３を作動させるスイッチ１４と有する。ブラケット１０、リフトアーム１１、ロック装置１２および伸縮シリンダ１３は、塵芥投入箱２の後方の左右両側に左右対称に設けられている。スイッチ１４は、塵芥投入箱２の側面下部にコンテナ反転装置４に隣接して設けられている。
【００１９】
ブラケット１０は、塵芥投入箱２の両側方下部に後方に突出させて上下方向に延設されている。ブラケット１０の上端部にはリフトアーム１１の上端部がピン１５によって回動自在に軸支されている。また、ブラケット１０の下端部には伸縮シリンダ１３の基端部がピン１３ａによって軸支されている。一方、伸縮シリンダ１３のロッド端はリフトアーム１１の中途部にピン１３ｂによって軸支されている。この伸縮シリンダ１３の伸縮動作によりリフトアーム１１はピン１５を中心に回動する。
【００２０】
また、図２および図３に示すように左右のリフトアーム１１は、回動が同調するようにトルクシャフト１６によって連結されている。トルクシャフト１６には、ブラケット１７を介してローラ１８が設けられている。ローラ１８は、コンテナＣを持ち上げて反転させる際に、コンテナＣの側面を支持する支持部を構成する。また、ローラ１８は、コンテナＣを支持した際にこのコンテナＣとの摩擦抵抗を緩和する。さらに、左右のリフトアーム１１の内側には、トルクシャフト１６の両端部にかけて取付板１９がそれぞれ設けられている。ロック装置１２は、この取付板１９に設けられている。
【００２１】
ロック装置１２は、図５に示すようにブラケット２０を介してピン２０ａにより軸支された略逆Ｊ字状の上ロック部材２２と、ブラケット２１を介してピン２１ａにより軸支された略Ｖ字状の下ロック部材２３とから構成されている。上ロック部材２２と下ロック部材２３とは同一垂直面上に上下に配置されている。また、下ロック部材２３の一端に形成された長孔２４には、上ロック部材２２の一端にブラケット２５を介して固設されたピン２６が遊嵌されている。
【００２２】
このように構成されたロック装置１２は、図５において実線で示す固縛位置と、二点鎖線で示す開放位置とを採ることができ、固縛位置において上ロック部材２２と下ロック部材２３とで形成された開口部２７内でコンテナＣの一側面に配設された保持ピンＣ１を保持する。
【００２３】
また、ロック装置１２には、上ロック部材２２と下ロック部材２３とが固縛位置にあるときに、開放位置への動作を阻止し、固縛位置で保持するロックピン２８が設けられている。ロックピン２８は、図５に示すように、下ロック部材２３の途中部下端に形成された切欠部２３ａに係脱自在に配置されており、図２および図３に示すようにロックレバー２９の回動により係脱操作を行うように構成されている。なお、ロックピン２９は、付勢部材３０により通常ロック装置１２を固縛位置で保持する方向に付勢されている。
【００２４】
また、図２に示すように、塵芥投入箱２の投入口３の下縁部の適所にも、前述のローラ１８と同様のローラ３１が、ブラケット３２を介して設けられている。これらのローラ３１もローラ１８と同様に、コンテナＣを持ち上げて反転させる際に、コンテナＣの側面を支持する支持部を構成する。また、ローラ３１は、コンテナＣを支持した際にこのコンテナＣとの摩擦抵抗を緩和する。
【００２５】
また、本実施形態における塵芥収集車は、図１および図４に示すように、塵芥投入箱２の両側面下部にサイドポケット３３を備えている。サイドポケット３３は、塵芥投入箱２の側面に突設されたブラケット３４にヒンジ３５を介して回動自在に設けられている。また、サイドポケット３３の内側（塵芥投入箱２側）に突設されたブラケット３６と塵芥投入箱２の側面に突設されたブラケット３７とが付勢部材３８によって連結されている。サイドポケット３３は、この付勢部材３８によって図４に実線にて示す収納位置へ付勢されている。
【００２６】
次に、上記構成のコンテナ反転装置４の動作について説明する。
【００２７】
まず、ロック装置１２が図５の二点鎖線で示す開放位置にある状態で、ごみを収容したコンテナＣをコンテナ反転装置４に近接配置し、コンテナＣの保持ピンＣ１をロック装置１２の上ロック部材２２の下端部に当接させながらコンテナ反転装置４側に押圧していく。この作用により、上ロック部材２２および下ロック部材２３が開放位置から固縛位置に作動し、コンテナＣの保持ピンＣ１がロック装置１２に固縛されるとともに、ロックピン２９が付勢部材の付勢力により下ロック部材２３の切欠部２３ａに係止し、固縛状態が保持される。
【００２８】
この後、スイッチ１４を操作して伸縮シリンダ１３を伸長させると、リフトアーム１１が上方に回動し、ロック装置１２に固縛されたコンテナＣが若干後ろ下がりに傾斜し、コンテナＣの側面がローラ１８に支持された状態で持ち上げられる。そして、さらに、リフトアーム１１が上方に回動することで、コンテナＣが反転し、このコンテナＣの上部開口が下向き状態で塵芥投入箱２の投入口３に臨み、コンテナＣ内のごみが塵芥投入箱２に投入される。このとき、コンテナＣの側面はローラ３１に支持され、コンテナＣの保持ピンＣ１がロック装置１２の開口部２７の止端まで滑ることで、コンテナＣが投入口３に向かって降下し、開口部２７の止端に衝突する際の衝撃により、コンテナＣ内の塵芥を投入口３に残らず投入できるようにしている。
【００２９】
上記構成のコンテナ反転装置４では、塵芥投入箱２の側面下部に図６に示す従来の斜め前後方向のブラケット５１および伸縮シリンダ５４が配置されず、従来のように斜め前後方向に延設されたブラケット５１とは異なり、ブラケット１０を上下方向に延設するため、このブラケット１０は車体に対して上下方向の位置を設定しやすく、容易に取り付け可能である。
【００３０】
また、このコンテナ反転装置４では、サイドカバー５６の適所に凹部を形成し、この凹部にスイッチ１４を設けることなく、塵芥投入箱２の側面下部にブラケット１０に隣接して伸縮シリンダ１３を作動させるスイッチ１４を備えているので、リフトアーム１１にコンテナＣを保持した状態で、すぐ傍のスイッチ１４を操作すれば伸縮シリンダ１３を作動させて、コンテナＣを反転させることが可能であり、スイッチ１４の取り付けが容易である。
【００３１】
また、このコンテナ反転装置４では、塵芥投入箱２の側面下部に図６に示す従来の斜め前後方向のブラケット５１および伸縮シリンダ５４が配置されないので、塵芥投入箱２の側面下部にサイドポケット３３を備えることができ、塵芥投入箱２の側面下部に空いたスペースを物入れとして有効活用できている。
【産業上の利用可能性】
【００３２】
本発明のコンテナ反転装置は、家庭や工場などから発生したごみを塵芥収容箱内に収集するに際し、ごみが収容されたコンテナを反転させてコンテナ内のごみを塵芥投入箱に投入する装置として有用である。
【符号の説明】
【００３３】
Ｃ  コンテナ
１  塵芥収容箱
２  塵芥投入箱
３  投入口
４  コンテナ反転装置
１０  ブラケット
１１  リフトアーム
１２  ロック装置
１３  伸縮シリンダ
１４  スイッチ
１６  トルクシャフト
１７  ブラケット
１８  ローラ
１９  取付板
２０，２１  ブラケット
２２  上ロック部材
２３  下ロック部材
２８  ロックピン
２９  ロックレバー
３０  付勢部材
３１  ローラ
３２  ブラケット
３３  サイドポケット
３８  付勢部材
【図１】
0005501779.tif 000002
【図２】
0005501779.tif 000003
【図３】
0005501779.tif 000004
【図４】
0005501779.tif 000005
【図５】
0005501779.tif 000006
【図６】
0005501779.tif 000007